(57)【要約】      （修正有）【課題】商用電源の停電時に駆動装置を作動させて床台を移動させることができる移動観覧席を提供する。【解決手段】複数個の椅子を装着もしくは載置されるとともに、車輪を有して前後移動可能とされた少なくとも一台の床台２と、床台の少なくとも一台に搭載されて床台を移動させる観覧席駆動装置５，７と、を具える移動観覧席において、観覧席駆動装置に電源を供給するバッテリと、移動観覧席の設置場所の商用電源に接続されてバッテリに充電する電源装置と、を持つバッテリ内蔵電源装置９を具える。【選択図】図３
2014062401.tif 000002
【特許請求の範囲】
【請求項１】
複数個の椅子を装着もしくは載置されるとともに、車輪を有して前後移動可能とされた少なくとも一台の床台と、
前記床台の少なくとも一台に搭載されて前記床台を移動させる観覧席駆動装置と、
を具える移動観覧席において、
前記観覧席駆動装置に電源を供給するバッテリと、
前記移動観覧席の設置場所の商用電源に接続されて前記バッテリに充電する電源装置と、
を具えることを特徴とする電源保持型移動観覧席。
【請求項２】
前記バッテリと前記電源装置とは前記床台に搭載され、
前記電源装置は、前記商用電源に分離可能な接続端子を介して接続されて前記バッテリに充電することを特徴とする請求項１記載の電源保持型移動観覧席。
【請求項３】
前記バッテリは前記床台に搭載され、
前記電源装置は、前記床台に搭載されずに前記移動観覧席の設置場所に配置されて前記商用電源に接続され、前記バッテリに分離可能な接続端子を介して接続されて前記バッテリに充電することを特徴とする請求項１記載の電源保持型移動観覧席。
【請求項４】
前記バッテリと前記商用電源とを切り替えて前記観覧席駆動装置への電源とする電源供給切替手段を具えることを特徴とする請求項１から３までの何れか１項記載の電源保持型移動観覧席。
【請求項５】
前記バッテリから前記移動観覧席以外に電源を供給する電源端子を有することを特徴とする、請求項１から４までの何れか１項記載の電源保持型移動観覧席。
【請求項６】
複数台の前記床台を具え、
前記複数個の椅子は起倒可能に前記床台に装着されており、
前記複数台の床台は、互いに連結されると共に互いに高さが異なっていて、最下段の床台が最上段の床台に対して進退移動すると、互いに階段状にずれる使用状態と互いに上下方向に整列する待機状態との間で進退移動することを特徴とする、請求項１から５までの何れか１項記載の電源保持型移動観覧席。
【請求項７】
複数台の前記床台は、使用位置と収納位置との間で、全体として進退移動可能であることを特徴とする、請求項１から６までの何れか１項記載の電源保持型移動観覧席。
【発明の詳細な説明】
【技術分野】
【０００１】
この発明は、複数個の椅子を装着もしくは載置されるとともに、車輪を有して前後移動可能とされた少なくとも一台の床台を使用位置と待機位置との間で移動させる移動観覧席に関し、特には、床台の移動の際に外部電源を必要としない電源保持型の移動観覧席に関するものである。
【背景技術】
【０００２】
移動観覧席としては従来、例えば特許文献１にて開示されたものが知られている。この移動観覧席は、各々複数個の椅子を装着された複数の床台を具え、各床台は車輪を有して前後移動可能とされており、最上段となる最後部の床台と最下段となる最前部の床台とにはそれぞれその左右の部分にモータでキャタピラを駆動して床台を前後移動させる観覧席駆動装置が設けられている。またこの複数の床台は互いに掛合されると共に互いに高さが異なっていて、最下段の床台が最上段の床台に対して進退移動すると、互いに階段状にずれる使用状態と互いに上下方向に整列する待機状態との間で進退移動し、その待機状態に後退移動させる際は、床台上の各椅子を前方に倒して床台間に収納する。そして最下段の床台と最上段の床台とが一緒に進退移動すると、その階段状の使用状態あるいは上下に整列した待機状態のまま使用位置と収納位置との間で全体として進退移動する。
【先行技術文献】
【特許文献】
【０００３】
【特許文献１】特開２００３−１５５８２８号公報
【発明の概要】
【発明が解決しようとする課題】
【０００４】
しかしながら上記従来の移動観覧席においては、その移動観覧席の設置場所の商用電源に電源ケーブルを常時接続して、各観覧席駆動装置への電源供給をその商用電源のみで行っていることから、災害等による商用電源の停電時に、観覧席駆動装置を作動させて階段状の使用状態から互いに上下方向に整列する待機状態に後退させたり使用位置から収納位置に移動させたりすることができず、それゆえ、移動観覧席の設置場所に災害時の避難等のための利用スペースを空ける際には、重い床台を人手で移動させる必要があって多大な時間と手間を要してしまうという不都合があった。
【課題を解決するための手段】
【０００５】
この発明は、上記従来の移動観覧席の課題を有利に解決するものであり、この発明の電源保持型移動観覧席は、複数個の椅子を装着もしくは載置されるとともに、車輪を有して前後移動可能とされた少なくとも一台の床台と、前記床台の少なくとも一台に搭載されて前記床台を移動させる観覧席駆動装置と、を具える移動観覧席において、前記観覧席駆動装置に電源を供給するバッテリと、前記移動観覧席の設置場所の商用電源に接続されて前記バッテリに充電する電源装置と、を具えることを特徴とするものである。
【発明の効果】
【０００６】
上述したこの発明の電源保持型移動観覧席にあっては、複数個の椅子を装着もしくは載置されるとともに、車輪を有して前後移動可能とされた少なくとも一台の床台のうち、少なくとも一台に搭載された観覧席駆動装置が、前記床台を移動させる。そして、バッテリが前記観覧席駆動装置に電源を供給し、電源装置が前記移動観覧席の設置場所の商用電源に接続されて前記バッテリに充電する。
【０００７】
従って、この発明の電源保持型移動観覧席によれば、通常時に電源装置が商用電源からバッテリに充電し、そのバッテリからの電源供給で駆動装置を作動させているので、災害等による商用電源の停電時に、そのバッテリからの電源供給で駆動装置を作動させて移動観覧席を使用状態から待機状態に後退させたり使用位置から収容位置に移動させたりすることができ、それゆえ、移動観覧席の設置場所に、容易にかつ短時間で災害時の避難等のための利用スペースを空けることができる。しかも、通常時のバッテリからの給電による駆動装置の作動状態から、バッテリの劣化状態を随時確認することができる。さらに、通常時に電源装置が商用電源からバッテリに充電し、そのバッテリからの電源供給で駆動装置を作動させることから、当該移動観覧席の設置の際に、設置場所に特別な電気設備や電気配線を設ける必要がなく、例えばＡＣ１００Ｖ等の通常の商用電源のコンセントから給電できるので、当該移動観覧席を設置場所に持ち込むだけで容易にその設置を行うことができる。
【０００８】
なお、この発明の電源保持型移動観覧席においては、前記バッテリと前記電源装置とは前記床台に搭載され、前記電源装置は、前記商用電源に分離可能な接続端子を介して接続されて前記バッテリに充電することとすると好ましい。このようにすれば、移動観覧席の移動の際に電源装置の電源ケーブルを商用電源の接続端子（コンセント）に接続せずにいわゆるコードレス状態で観覧席駆動装置を作動させることができるので、作業者が電源ケーブルに引っ掛かったりする不都合を回避することができ、また使用状態あるいは使用位置への移動後にも電源装置の電源ケーブルを商用電源の接続端子に接続せずにおけば、設置場所の利用者がその電源ケーブルに引っ掛かったりする不都合も回避することができ、代わりに使用状態あるいは使用位置への移動後に電源装置の電源ケーブルを商用電源の接続端子に接続すれば、バッテリへの充電を行うことができる。
【０００９】
また、この発明の電源保持型移動観覧席においては、前記バッテリは前記床台に搭載され、前記電源装置は、前記床台に搭載されずに前記移動観覧席の設置場所に配置されて前記商用電源に接続され、前記バッテリに分離可能な接続端子を介して接続されて前記バッテリに充電することとしても好ましい。このようにすれば、移動観覧席の移動の際に電源装置の給電ケーブルをバッテリへの接続端子（コネクタ）に接続せずにいわゆるコードレス状態で観覧席駆動装置を作動させることができるので、作業者が給電ケーブルに引っ掛かったりする不都合を回避することができ、また使用状態あるいは使用位置への移動後にも電源装置の給電ケーブルをバッテリに接続せずにおけば、設置場所の利用者がその給電ケーブルに引っ掛かったりする不都合も回避することができ、代わりに使用状態あるいは使用位置への移動後に電源装置の給電ケーブルをバッテリへの接続端子に接続すれば、バッテリへの充電を行うことができる。
【００１０】
さらに、この発明の電源保持型移動観覧席においては、前記バッテリと前記商用電源とを切り替えて前記観覧席駆動装置への電源とする電源供給切替手段を具えていると好ましい。このようにすれば、観覧席駆動装置の試験作動時やバッテリの充電不足時等に、所要に応じて商用電源から観覧席駆動装置へ直接電源供給することができる。
【００１１】
さらに、この発明の電源保持型移動観覧席においては、前記バッテリから前記移動観覧席以外に電源を供給する電源端子を具えていると好ましい。このようにすれば、災害等による商用電源の停電時に、バッテリからの電源供給で照明器具や冷暖房機器や調理器具等を作動させることができるので、非常電源としても役立てることができる。
【００１２】
さらに、この発明の電源保持型移動観覧席においては、複数台の前記床台を具え、前記複数個の椅子は起倒可能に前記床台に装着されており、前記複数台の床台は、互いに連結されると共に互いに高さが異なっていて、最下段の床台が最上段の床台に対して進退移動すると、互いに階段状にずれる使用状態と互いに上下方向に整列する待機状態との間で全体として進退移動するものであると好ましい。このようにすれば、電源保持型移動観覧席を、床台が階段状に展開する使用状態と床台が上下に整列する収納状態との間で移動させることができ、その使用状態では椅子を起して着座することができ、またその収納状態では椅子を倒して床台間に収容することができる。
【００１３】
さらに、この発明の電源保持型移動観覧席においては、複数台の前記床台は、使用位置と収納位置との間で、全体として進退移動可能であると好ましい。このようにすれば、収納位置から離れた任意の場所に移動観覧席の使用位置を設定することができる。
【図面の簡単な説明】
【００１４】
【図１】（ａ），（ｂ）は、この発明の電源保持型移動観覧席の一実施例をその複数段の床台が互いに階段状にずれた進出位置にある状態で示す平面図および側面図である。
【図２】（ａ），（ｂ）は、上記実施例の電源保持型移動観覧席をその複数段の床台が互いに上下方向に整列した後退位置にある状態で示す平面図および側面図である。
【図３】（ａ），（ｂ）は、上記実施例の電源保持型移動観覧席の内部構造をその複数段の床台が互いに階段状にずれた進出位置にある状態および互いに上下方向に整列した後退位置にある状態でそれぞれ透視して示す平面図である。
【図４】上記実施例の電源保持型移動観覧席の電気回路の主要部を示す構成図である。
【図５】この発明の電源保持型移動観覧席の他の一実施例の電気回路の主要部を示す構成図である。
【発明を実施するための形態】
【００１５】
以下、この発明の実施の形態を図面に基づく実施例によって詳細に説明する。ここに、図１（ａ），（ｂ）は、この発明の電源保持型移動観覧席の一実施例をその複数段の床台が互いに階段状にずれた進出位置にある状態で示す平面図および側面図、図２（ａ），（ｂ）は、上記実施例の電源保持型移動観覧席をその複数段の床台が互いに上下方向に整列した後退位置にある状態で示す平面図および側面図、そして図３（ａ），（ｂ）は、上記実施例の電源保持型移動観覧席の内部構造をその複数段の床台が互いに階段状にずれた進出位置にある状態および互いに上下方向に整列した後退位置にある状態でそれぞれ透視して示す平面図である。
【００１６】
この実施例の電源保持型移動観覧席は、各々複数個の椅子１を装着された複数（図示例では７段）の床台２を具え、各床台２はその左右方向複数箇所（図示例では６箇所）にて前後方向へ延在する脚３に設けられた車輪４を有して体育館等の設置場所Ｐの床面Ｆ上を前後移動可能とされており、最上段となる最後部の床台２の内部にはその左右の部分に、３相交流のＡＣモータで減速機を介して車輪４を駆動して複数の床台２を全体的に前後移動させる、観覧席駆動装置としての観覧席移動装置５が設けられている。
【００１７】
さらにその最後部の床台２の内部にはその左右の部分に、３相交流のＡＣモータでドラムを回転させて板状連結片を多数繋いだ板状チェーン６の繰出しと巻取りとを行い、それらの板状チェーン６の先端部に接続した最下段となる最前部の床台２を最後部の床台２に対し進退移動させる、これも観覧席駆動装置としての観覧席展開収納装置７も設けられている。
【００１８】
またこの複数の床台２は互いに掛合されると共に互いに高さが異なっていて、最下段の床台２が最上段の床台２に対して前進移動すると、図１（ａ），（ｂ）に示す互いに階段状にずれる使用状態に全体として展開移動し、最下段の床台２が最上段の床台２に対して後退移動すると、図２（ａ），（ｂ）に示す互いに上下方向に整列する待機状態に全体として後退移動し、その待機状態に後退移動させる際は、最上段の床台２を除いて各床台２上の各椅子１を前方に倒して床台２間に収納する。
【００１９】
そして最下段の床台２と一緒に最上段の床台２が進退移動すると、その階段状の使用状態あるいは上下に整列した待機状態のまま、図１（ａ），（ｂ）に示す、設置場所Ｐの後壁Ｗから離れた使用位置と、その後壁Ｗに隣接した収納位置との間で全体として進退移動する。なお、各床台２の左右方向（図１（ａ），２（ａ）では上下方向）両端部には、外向き（床台２の端部から離れる方向）に傾斜した支柱を持つ手摺８が設けられ、床台２を待機状態に後退移動させる際は、それらの手摺８も上下方向に整列して位置する。
【００２０】
かかる構成の移動観覧席において、この実施例では、設置場所Ｐの後壁Ｗに設けられた電源盤ＳのＡＣ１００Ｖ単相コンセントから商用電源としてのＡＣ１００Ｖの単相交流電源の供給を受け、その１００Ｖ単相交流電源から後述の如くして、最後部（最上段）の床台２の内部にそれぞれ搭載されたバッテリ内蔵電源装置９および制御盤１０を介して、上記観覧席移動装置５および観覧席展開収納装置７のそれぞれのＡＣモータに電源を供給している。
【００２１】
図４は、上記実施例の電源保持型移動観覧席の電気回路の主要部を示す構成図であり、この実施例の電源保持型移動観覧席では、図２（ａ），（ｂ）および図３（ｂ）に示すように移動観覧席が待機位置および収納位置に位置する状態で、設置場所Ｐの後壁Ｗに設けられた電源盤Ｓが有する通常のＡＣ１００Ｖ単相コンセントに通常のプラグおよび電源ケーブル１１を介してバッテリ内蔵電源装置９が接続され、これにより、図４に示すように、設置場所Ｐの通常の商用電源としての単相交流１００ＶのＬ，Ｎ配線およびアース（Ｅ）配線が、バッテリ内蔵電源装置９の入力端子に分離可能に接続される。
【００２２】
バッテリ内蔵電源装置９の入力端子のＬ，Ｎ配線は、単相用サーキットブレーカを介してＡＣ１００Ｖで作動するＤＣ電源回路に接続され、そのＤＣ電源回路の６０ＶのＤＣ出力端子は通常の充電制御回路の電源端子に接続され、充電制御回路のバッテリ端子には例えば１２Ｖゲルバッテリが４台直列接続されており、このゲルバッテリは、電解質としてバッテリ液の代わりにゲルを収納していて、地震等によるバッテリケースの破損時にも電解質の漏れ出しを防止して給電機能を保持できる。また、充電制御回路のバッテリ端子は４台の１２Ｖゲルバッテリと並列に、バッテリ内蔵電源装置９の外部バッテリ端子にも接続されている。
【００２３】
そして充電制御回路の負荷端子には通常の３相正弦波インバータのＤＣ４８Ｖ入力端子が接続され、その３相正弦波インバータの２００Ｖの３相交流Ｒ相，Ｓ相，Ｔ相出力端子はバッテリ内蔵電源装置９の３相交流Ｒ相，Ｓ相，Ｔ相出力端子を介して制御盤１０に接続されている。
【００２４】
かかるバッテリ内蔵電源装置９にあっては、入力端子のＬ，Ｎ配線により、２相用サーキットブレーカを介してＤＣ電源回路にＡＣ１００Ｖの単相交流電源が供給され、このＡＣ１００Ｖから、ＤＣ電源回路はＤＣ６０Ｖを出力し、これが充電制御装置に供給される。そして充電制御装置は、このＤＣ６０Ｖの電源電圧が供給されている間はそこから調圧したＤＣ４８Ｖ以上の充電電圧で４台の１２Ｖゲルバッテリを充電し、ＤＣ６０Ｖの電源電圧の供給が途絶えると、それら４台のバッテリから供給されたＤＣ４８Ｖの直流電源を負荷端子から３相正弦波インバータの入力端子に供給する。
【００２５】
これにより３相正弦波インバータは、その２００Ｖの３相交流Ｒ相，Ｓ相，Ｔ相出力をモータ駆動用電源として、出力端子を介して制御盤１０に出力し、制御盤１０は、作業員による図示しないリモートコントローラのスイッチ操作に基づき、そのモータ駆動用電源を上記観覧席移動装置５および観覧席展開収納装置７のそれぞれのＡＣモータに適宜供給する。
【００２６】
そしてこの実施例の電源保持型移動観覧席では、複数の床台２の全体を、設置場所Ｐの後壁Ｗに隣接した収納位置から、その後壁Ｗから離れた使用位置へ移動させる際には、図１（ａ），（ｂ）および図３（ａ）に示すように、設置場所Ｐの後壁Ｗに設けられた電源盤ＳのＡＣ１００Ｖ単相コンセントから電源ケーブル１１のプラグが外されて、そのコンセントからバッテリ内蔵電源装置９が分離され、バッテリ内蔵電源装置９へのＡＣ１００Ｖ単相交流電源の供給が止まる。なお、電源ケーブル１１のプラグがコンセントに接続されていても停電等によりバッテリ内蔵電源装置９へのＡＣ１００Ｖ単相交流電源の供給が止まる場合がある。
【００２７】
従って、この実施例の電源保持型移動観覧席によれば、バッテリ内蔵電源装置９が商用電源からバッテリに充電し、そのバッテリからの電源供給のみで観覧席移動装置５および観覧席展開収納装置７のそれぞれのＡＣモータを作動させているので、災害等による商用電源の停電時に、そのバッテリからの電源供給で観覧席展開収納装置７を作動させて移動観覧席を図１に示す床台２が階段状に進出した使用状態から図２に示す床台２が上下に整列した待機状態に後退させたり観覧席移動装置５を作動させて図１に示す後壁Ｗから離間した使用位置から図２に示す後壁Ｗに隣接した収容位置に移動させたりすることができ、それゆえ、移動観覧席の設置場所に、容易にかつ短時間で災害時の避難等のための利用スペースを空けることができる。
【００２８】
しかも、この実施例の電源保持型移動観覧席によれば、移動観覧席が収容位置に位置する間はバッテリ内蔵電源装置９が商用電源からバッテリに常時充電しているので、そのバッテリからの給電による観覧席移動装置５および観覧席展開収納装置７の作動状態から、バッテリの劣化状態を随時確認することができる。さらに、通常時に電源装置が商用電源からバッテリに充電し、そのバッテリからの電源供給で駆動装置を作動させることから、当該移動観覧席の設置の際に、設置場所に特別な電気設備や電気配線を設ける必要がなく、ＡＣ１００Ｖの通常の商用電源のコンセントから給電できるので、当該移動観覧席を設置場所に持ち込むだけで容易にその設置を行うことができる。
【００２９】
そして、この実施例の電源保持型移動観覧席によれば、バッテリと電源装置とを含むバッテリ内蔵電源装置９が床台２内に搭載され、そのバッテリ内蔵電源装置９は、後壁Ｗに設けられた電源盤Ｓの商用電源に、分離可能な接続端子を持つ電源ケーブル１１を介して接続されてバッテリに充電することから、移動観覧席の移動の際にバッテリ内蔵電源装置９を商用電源の接続端子（コンセント）に接続せずにいわゆるコードレス状態で観覧席移動装置５および観覧席展開収納装置７を作動させることができるので、床台２を使用状態あるいは使用位置へ移動させた後に作業者が電源ケーブル１１に引っ掛かったりする不都合を回避することができ、また使用状態あるいは使用位置への移動後にも電源ケーブル１１を電源盤Ｓの商用電源の接続端子に接続せずにおくので、設置場所の利用者がその電源ケーブル１１に引っ掛かったりする不都合も回避することができる。
【００３０】
さらに、この実施例の電源保持型移動観覧席によれば、充電制御回路のバッテリ端子が４台の１２Ｖゲルバッテリと並列に、バッテリ内蔵電源装置９の外部バッテリ端子にも接続されているので、内蔵する４台の１２Ｖゲルバッテリに加えて、あるいはそれらの代りに、ＤＣ４８Ｖ分（例えば１２Ｖ×４台）の外部バッテリを接続することもでき、また逆に、その外部バッテリ端子を、バッテリから移動観覧席以外に電源を供給する電源端子として用いることもでき、これにより、災害等による商用電源の停電時に、バッテリ内蔵電源装置９が内蔵するバッテリからの電源供給で照明器具や冷暖房機器や調理器具等を作動させることができるので、バッテリを非常電源としても役立てることができる。
【００３１】
図５は、この発明の電源保持型移動観覧席の他の一実施例の電気回路の主要部を示す構成図であり、この実施例の電源保持型移動観覧席では、バッテリ内蔵電源装置９および電源ケーブル１１以外は先の実施例と同様に構成されているが、図２（ａ），（ｂ）および図３（ｂ）に示すように移動観覧席が待機位置および収納位置に位置する状態で、設置場所Ｐの後壁Ｗに設けられた電源盤Ｓにバッテリ内蔵電源装置９が、分離可能な接続端子を持つ電源ケーブル１１および通常のＡＣ２００Ｖ３相コンセントを介して分離可能に接続されてＡＣ２００Ｖの３相交流電源の供給を受け、その３相交流のＲ相，Ｓ相，Ｔ相の配線が、バッテリ内蔵電源装置９の入力端子に接続される。
【００３２】
バッテリ内蔵電源装置９の入力端子のＲ相，Ｓ相，Ｔ相配線は、３相用サーキットブレーカおよび２００Ｖ３相リレーのＯＮ時の入力端子を介してバッテリ内蔵電源装置９の３相交流Ｒ相，Ｓ相，Ｔ相出力端子に接続される。またバッテリ内蔵電源装置９の入力端子のＲ相，Ｓ相，Ｔ相配線のうち２相（図示例ではＲ相，Ｓ相）の配線は、２相用サーキットブレーカを介してＡＣ２００Ｖで作動する並列接続の２台のＤＣ電源回路に接続されるとともに、通常作動と直接作動との切替スイッチを介して２００Ｖ３相リレーのコイルに接続される。
【００３３】
２台のＤＣ電源回路の３０ＶのＤＣ出力端子は直列にされて通常の充電制御回路の電源端子に接続され、充電制御回路のバッテリ端子には例えば１２Ｖゲルバッテリが４台直列接続されており、このゲルバッテリは、電解質としてバッテリ液の代わりにゲルを収納していて、地震等によるバッテリケースの破損時にも電解質の漏れ出しを防止して給電機能を保持できる。また、充電制御回路のバッテリ端子は４台の１２Ｖゲルバッテリと並列に、バッテリ内蔵電源装置９の外部バッテリ端子にも接続されている。
【００３４】
そして充電制御回路の負荷端子には通常の３相正弦波インバータのＤＣ４８Ｖ入力端子が接続され、その３相正弦波インバータの２００Ｖの３相交流Ｒ相，Ｓ相，Ｔ相出力端子は２００Ｖ３相リレーのＯＦＦ時の入力端子に接続されている。
【００３５】
かかるバッテリ内蔵電源装置９にあっては、入力端子のＲ相，Ｓ相，Ｔ相配線のうち２相（図示例ではＲ相，Ｓ相）の配線により、２相用サーキットブレーカを介して２台のＤＣ電源回路にＡＣ２００Ｖの単相交流電源が供給され、２台のＤＣ電源回路はそれぞれＤＣ３０Ｖを出力し、これらを直列接続することでＤＣ６０Ｖが充電制御装置に供給される。そして充電制御装置は、このＤＣ６０Ｖの電源電圧が供給されている間はそこから調圧したＤＣ４８Ｖ以上の充電電圧で４台の１２Ｖゲルバッテリを充電し、ＤＣ６０Ｖの電源電圧の供給が途絶えると、それら４台のバッテリから供給されたＤＣ４８Ｖの直流電源を負荷端子から３相正弦波インバータの入力端子に供給する。
【００３６】
ここで、通常時は上記通常作動と直接作動との切替スイッチはＯＦＦ（通常作動）とされており、これにより２００Ｖ３相リレーのコイルへの給電がなされないので、２００Ｖ３相リレーは３相正弦波インバータの２００Ｖの３相交流Ｒ相，Ｓ相，Ｔ相出力端子が接続された２００Ｖ３相リレーのＯＦＦ時の入力端子をバッテリ内蔵電源装置９の出力端子のＲ相，Ｓ相，Ｔ相配線に切替接続して、３相正弦波インバータの２００Ｖ３相交流Ｒ相，Ｓ相，Ｔ相出力をモータ駆動用電源として制御盤１０に出力し、制御盤１０は、作業員による図示しないリモートコントローラのスイッチ操作に基づき、そのモータ駆動用電源を上記観覧席移動装置５および観覧席展開収納装置７のそれぞれのＡＣモータに適宜供給する。
【００３７】
そしてこの実施例の電源保持型移動観覧席でも、複数の床台２の全体を、設置場所Ｐの後壁Ｗに隣接した収納位置から、その後壁Ｗから離れた使用位置へ移動させる際には、図１（ａ），（ｂ）および図３（ａ）に示すように、設置場所Ｐの後壁Ｗに設けられた電源盤ＳのＡＣ２００Ｖ３相コンセントから電源ケーブル１１のプラグが外されて、そのコンセントからバッテリ内蔵電源装置９が分離され、バッテリ内蔵電源装置９へのＡＣ２００Ｖ３相交流電源の供給が止まる。なお、電源ケーブル１１のプラグがコンセントに接続されていても停電等によりバッテリ内蔵電源装置９へのＡＣ２００Ｖ３相交流電源の供給が止まる場合がある。
【００３８】
従って、この実施例の電源保持型移動観覧席によっても、先の実施例と同様に、バッテリ内蔵電源装置９が商用電源からバッテリに充電し、そのバッテリからの電源供給のみで観覧席移動装置５および観覧席展開収納装置７のそれぞれのＡＣモータを作動させているので、災害等による商用電源の停電時に、そのバッテリからの電源供給で観覧席展開収納装置７を作動させて移動観覧席を図１に示す床台２が階段状に進出した使用状態から図２に示す床台２が上下に整列した待機状態に後退させたり観覧席移動装置５を作動させて図１に示す後壁Ｗから離間した使用位置から図２に示す後壁Ｗに隣接した収容位置に移動させたりすることができ、それゆえ、移動観覧席の設置場所に、容易にかつ短時間で災害時の避難等のための利用スペースを空けることができる。
【００３９】
しかも、この実施例の電源保持型移動観覧席によっても、移動観覧席が収容位置に位置する間はバッテリ内蔵電源装置９が商用電源からバッテリに常時充電しているので、そのバッテリからの給電による観覧席移動装置５および観覧席展開収納装置７の作動状態から、バッテリの劣化状態を随時確認することができる。さらに、通常時に電源装置が商用電源からバッテリに充電し、そのバッテリからの電源供給で駆動装置を作動させることから、当該移動観覧席の設置の際に、設置場所に特別な電気設備や電気配線を設ける必要がなく、ＡＣ２００Ｖ３相の通常の商用電源のコンセントから給電できるので、当該移動観覧席を設置場所に持ち込むだけで容易にその設置を行うことができる。
【００４０】
そして、この実施例の電源保持型移動観覧席によっても、バッテリと電源装置とを含むバッテリ内蔵電源装置９が床台２内に搭載され、そのバッテリ内蔵電源装置９は、後壁Ｗに設けられた電源盤Ｓの商用電源に、分離可能な接続端子を持つ電源ケーブル１１を介して接続されてバッテリに充電することから、移動観覧席の移動の際にバッテリ内蔵電源装置９を商用電源の接続端子（コンセント）に接続せずにいわゆるコードレス状態で観覧席移動装置５および観覧席展開収納装置７を作動させることができるので、床台２を使用状態あるいは使用位置へ移動させた後に作業者が電源ケーブル１１に引っ掛かったりする不都合を回避することができ、また使用状態あるいは使用位置への移動後にも電源ケーブル１１を電源盤Ｓの商用電源の接続端子に接続せずにおくので、設置場所の利用者がその電源ケーブル１１に引っ掛かったりする不都合も回避することができる。
【００４１】
さらに、この実施例の電源保持型移動観覧席によっても、充電制御回路のバッテリ端子が４台の１２Ｖゲルバッテリと並列に、バッテリ内蔵電源装置９の外部バッテリ端子にも接続されているので、内蔵する４台の１２Ｖゲルバッテリに加えて、あるいはそれらの代りに、ＤＣ４８Ｖ分（例えば１２Ｖ×４台）の外部バッテリを接続することもでき、また逆に、その外部バッテリ端子を、バッテリから移動観覧席以外に電源を供給する電源端子として用いることもでき、これにより、災害等による商用電源の停電時に、バッテリ内蔵電源装置９が内蔵するバッテリからの電源供給で照明器具や冷暖房機器や調理器具等を作動させることができるので、バッテリを非常電源としても役立てることができる。
【００４２】
さらに、この実施例の電源保持型移動観覧席によれば、上記切替スイッチをＯＮ（直接作動）とすることで、２００Ｖ３相リレーのコイルへの給電がなされて、２００Ｖ３相リレーが、バッテリ内蔵電源装置９の入力端子の３相交流Ｒ相，Ｓ相，Ｔ相配線をそのバッテリ内蔵電源装置９の出力端子のＲ相，Ｓ相，Ｔ相配線に直接接続し、商用電源からの２００Ｖの３相交流Ｒ相，Ｓ相，Ｔ相出力をモータ駆動用電源として制御盤１０に出力し、制御盤１０は、そのモータ駆動用電源を観覧席移動装置５や観覧席展開収納装置７のモータに供給するので、観覧席移動装置５や観覧席展開収納装置７の試験作動時やバッテリの充電不足時等に、所要に応じて商用電源から観覧席駆動装置へ直接電源供給することができる。従って、上記切替スイッチと２００Ｖ３相リレーとは電源供給切替手段として機能する。
【００４３】
以上、図示例に基づき説明したが、この発明は上述の例に限定されるものでなく、特許請求の範囲の記載範囲内で適宜変更し得るものであり、例えば、上記実施例では床台２を使用状態あるいは使用位置へ移動させた後も電源盤Ｓの商用電源の接続端子に電源ケーブル１１を接続せずにおくが、これに代えて、使用状態あるいは使用位置への移動後に長尺の電源ケーブル１１を電源盤Ｓの商用電源の接続端子に接続してバッテリ内蔵電源装置９のバッテリへの充電を再開するようにしても良く、このようにすればその使用状態あるいは使用位置での移動観覧席から、通常時あるいは災害等による商用電源の停電時に、バッテリからの電源供給で照明器具や冷暖房機器や調理器具等を作動させることができるので、非常電源としても役立てることができる。
【００４４】
また、この発明の電源保持型移動観覧席においては、バッテリは床台２に搭載される一方、電源装置としての充電装置は床台２に搭載されずに移動観覧席の設置場所Ｐの例えば電源盤Ｓ内に配置されて商用電源に接続され、バッテリに分離可能な接続端子を持つ接続ケーブルを介して接続されてそのバッテリに充電し、観覧席移動装置５や観覧席展開収納装置７はそのバッテリからのＤＣ電源あるいはそのＤＣ電源からこれも床台２に搭載されたインバータで変換したＡＣ電源で作動することとしても良い。
【００４５】
さらに、上記実施例の移動観覧席では複数の床台２を全体的に移動させる観覧席移動装置５に加えて観覧席展開収納装置７がモータでドラムを回転させて板状連結片を多数繋いだ板状チェーン６の繰出しと巻取りとを行うことで複数の床台２を階段状の使用状態と上下に整列する待機状態との間で移動させているが、これに代えて最前部の床台２と最後部の床台２とにそれぞれ車輪を駆動する駆動装置を設けて複数の床台２を全体的に移動させる機能と複数の床台２を階段状の使用状態と上下に整列する待機状態との間で移動させる機能とを持たせても良い。また階段状の移動観覧席は、上記実施例では各床台２上に複数個の椅子を装着されているが、何れかのまたは全ての床台２において、一部または全ての椅子が装着されていず、代わりに床台２が階段状に展開した後に椅子が載置されるものでも良い。
【００４６】
そして上記実施例は階段状の移動観覧席に適用したが、この発明の移動観覧席は、複数個の椅子を装着もしくは載置されるとともに、車輪を有して前後移動可能とされた、一台もしくは互いに連結された２台以上の平坦ないわゆるプラットフォーム型の移動観覧席にも適当することができる。
【産業上の利用可能性】
【００４７】
かくしてこの発明の電源保持型移動観覧席によれば、通常時に電源装置が商用電源からバッテリに充電し、そのバッテリからの電源供給で駆動装置を作動させているので、災害等による商用電源の停電時に、そのバッテリからの電源供給で駆動装置を作動させて移動観覧席を使用状態から待機状態に後退させたり使用位置から収容位置に移動させたりすることができ、それゆえ、移動観覧席の設置場所に、容易にかつ短時間で災害時の避難等のための利用スペースを空けることができる。しかも、通常時のバッテリからの給電による駆動装置の作動状態から、バッテリの劣化状態を随時確認することができる。さらに、通常時に電源装置が商用電源からバッテリに充電し、そのバッテリからの電源供給で駆動装置を作動させることから、当該移動観覧席の設置の際に、設置場所に特別な電気設備や電気配線を設ける必要がなく、例えばＡＣ１００Ｖ等の通常の商用電源のコンセントから給電できるので、当該移動観覧席を設置場所に持ち込むだけで容易にその設置を行うことができる。
【符号の説明】
【００４８】
１  椅子
２  床台
３  脚
４  車輪
５  観客席移動装置
６  板状チェーン
７  観客席展開収納装置
８  手摺
９  バッテリ内臓電源装置
１０  制御盤
１１  電源ケーブル
F  床面
Ｐ  設置場所
Ｓ  電源盤
Ｗ  後壁
【図１】
2014062401.tif 000003
【図２】
2014062401.tif 000004
【図３】
2014062401.tif 000005
【図４】
2014062401.tif 000006
【図５】
2014062401.tif 000007